(57)【要約】【課題】複数の選択肢の中から選択する操作を容易にする。【解決手段】カメラ付き携帯電話１０は、ＬＣＤパネル２２、モード選択キー３１、決定キー３２、シャッタボタンキー３３、キャンセルキー３４、カーソルキー３５、テンキー３６ａ〜３６ｌを備えている。再生モード下でＬＣＤパネル２２にインデックス画像７０を表示したとき、テンキー３６ａ〜３６ｉのいずれかで列番号を入力するとその入力数字に応じた選択画像列７１が、他の列とは異なる表示となり、さらにテンキー３６ａ〜３６ｉのいずれかで行番号を入力すると１つの選択画像７２が決定され、ＬＣＤパネル２２に画像が大きく再生表示される。【選択図】図７
2007189425.tif 000002
【特許請求の範囲】
【請求項１】
複数の選択肢を行列状に配列して表示する表示手段と、この表示手段に選択肢が表示されているときに選択入力を行う操作手段とを備えた携帯型電子機器において、
前記操作手段は、０〜９の数字又は文字が付された複数の入力キーを少なくとも含んでおり、前記選択肢の位置を示す行番号及び列番号を示す数字を前記入力キーで入力することによって前記選択肢の選択入力を行うことを特徴とする携帯型電子機器。
【請求項２】
前記入力キーによる前記行番号及び前記列番号のいずれか一方の入力に応じて、その行番号又は列番号が示す選択肢の行又は列と、それ以外の選択肢の行又は列とを区別して前記表示手段に表示した後、前記入力キーで前記行番号及び前記列番号の他方を入力して１つの選択肢を決定することを特徴とする請求項１記載の携帯型電子機器。
【請求項３】
複数の選択肢を行列状に配列して表示する表示手段と、この表示手段に選択肢が表示されているときに選択入力を行う操作手段とを備えた携帯型電子機器で前記選択肢の選択操作を実行する選択処理プログラムにおいて、
前記操作手段は、０〜９の数字又は文字が付された複数の入力キーを少なくとも含んでおり、前記入力キーによる数字入力で前記選択肢の位置を示す行番号及び列番号を指定して前記選択肢の選択を決定する選択決定処理を携帯型電子機器に行わせることを特徴とする選択処理プログラム。
【請求項４】
前記入力キーによる数字入力で前記行番号及び前記列番号のいずれか一方が指定されたとき、その行番号又は列番号が示す選択肢の行又は列と、それ以外の選択肢の行又は列とを区別して前記表示手段に表示させる選択表示処理を携帯型電子機器に行わせることを特徴とする請求項３記載の選択処理プログラム。
【発明の詳細な説明】
【技術分野】
【０００１】
本発明は、表示パネルに表示した多数の選択肢の中から選択操作を行う携帯型電子機器及び選択処理プログラムに関する。
【背景技術】
【０００２】
近年、ＣＣＤなどの撮像素子を用いて撮像した画像をデジタルの画像データに変換し、内蔵メモリやメモリカードなどの記憶媒体に記憶するデジタルカメラが普及してきており、さらに撮像素子の小型化、ローコスト化が進んできていることから、携帯電話や、ＰＤＡなどの情報端末にデジタルカメラを組み込んだものが多くなってきている。このようなデジタルカメラ、あるいはデジタルカメラを組み込んだカメラ付き携帯電話などでは、画像を表示するＬＣＤパネルなどの表示手段を備えており、記憶媒体から読み出した画像を表示手段に再生表示させることが一般的である。
【０００３】
ところで、最近では、メモリカードなどの記憶媒体の大容量化が進んできており、これらの記憶媒体の中により多くの画像データを保存できるようになってきている。そこで、画像再生を行うときには、先ず、表示手段に画像データのリストを多数配列した画像選択画面を表示して、その中からユーザーが所望する１つの画像データを選択し、この選択された画像データを読み出してＬＣＤパネルにより大きな画像を再生するようにしている。従来は、このような画面選択画面から１つの画像を選択するときには、カーソルボタンなどの上下左右方向を入力する操作手段によってユーザーは入力操作を行い、このカーソルボタンによる入力操作でユーザーが所望する画像の位置に移動したときに、例えば決定ボタンを押圧するなどして選択を確定するようになっている。
【０００４】
一方で、携帯型電子機器の入力では、部品配置の効率からスイッチやボタンなどの操作部材をなるべく小さく且つ少ない数で構成しなければならならず、キーボードやタブレットなどを有する電子機器に比較すると操作性が低下する傾向になる。そこで、携帯型電子機器の操作性を向上させるための様々な構成が提案されており、例えば特許文献１に記載されている携帯情報端末装置では、ジョグダイヤルと呼ばれる回転操作及び押圧操作による入力を兼ねる操作部材を備えており、ＬＣＤパネルに画像選択画面が選択されているとき、ジョグダイヤルを回転及び押圧操作することによって１つの画像データを選択決定するようにしている。
【特許文献１】特開２００２−２８１１５０号公報
【発明の開示】
【発明が解決しようとする課題】
【０００５】
しかしながら、多数の画像データの中から１つの画像を選択するためには、カーソルボタンで何度も上下左右方向の入力を行ったり、上記特許文献１に記載されたジョグダイヤルで何度も回転操作したりしなければならず、所望の画像を選択するまでに手間や時間が掛かかることがあった。
【０００６】
また、デジタルカメラやカメラ付き携帯電話の操作では、上述のような画面選択画面からの画像の選択だけでなく、各種メニューや設定項目などを表示手段に表示して選択操作を行うことが多く、このようなメニュー、設定項目などの選択操作でも、同様に手間と時間が掛かるという問題がある。
【０００７】
本発明は上記事情を考慮してなされたものであり、表示手段に表示された複数の選択肢の中から選択する操作を容易に行うことが可能な携帯型電子機器及び選択処理プログラムを提供することを目的とする。
【課題を解決するための手段】
【０００８】
本発明の携帯型電子機器は、複数の選択肢を行列状に配列して表示する表示手段と、この表示手段に選択肢が表示されているときに選択入力を行う操作手段とを備えた携帯型電子機器において、前記操作手段は、０〜９の数字又は文字が付された複数の入力キーを少なくとも含んでおり、前記選択肢の位置を示す行番号及び列番号を示す数字を前記入力キーで入力することによって前記選択肢の選択入力を行うことを特徴とする。なお、前記入力キーによる前記行番号及び前記列番号のいずれか一方の入力に応じて、その行番号又は列番号が示す選択肢の行又は列と、それ以外の選択肢の行又は列とを区別して前記表示手段に表示した後、前記入力キーで前記行番号及び前記列番号の他方を入力して１つの選択肢を決定することが好ましい。なお、入力キーとしては、一般的な配列のテンキーや、ＪＩＳ配列などのキーボードに準拠したものなど、数字や文字を入力可能なものであればよい。
【０００９】
また、請求項３記載の選択処理プログラムでは、複数の選択肢を行列状に配列して表示する表示手段と、この表示手段に選択肢が表示されているときに選択入力を行う操作手段とを備えた携帯型電子機器で前記選択肢の選択操作を実行する選択処理プログラムにおいて、前記操作手段は、０〜９の数字又は文字が付された複数の入力キーを少なくとも含んでおり、前記入力キーによる数字入力で前記選択肢の位置を示す行番号及び列番号を指定して前記選択肢の選択を決定する選択決定処理を携帯型電子機器に行わせることを特徴とする。なお、前記入力キーによる数字入力で前記行番号及び前記列番号のいずれか一方が指定されたとき、その行番号又は列番号が示す選択肢の行又は列と、それ以外の選択肢の行又は列とを区別して前記表示手段に表示させる選択表示処理を携帯型電子機器に行わせることが好ましい。
【発明の効果】
【００１０】
本発明の携帯型電子機器及び選択処理プログラムによれば、選択肢の位置を示す行番号及び列番号を示す数字を入力キーで入力することによって選択肢の選択入力を行うようにしたので、複数の選択肢の中から選択する選択操作に掛かる手間と時間と省くことが可能となり、選択操作を容易に行うことができる。
【００１１】
なお、入力キーによる行番号及び列番号のいずれか一方の入力に応じて、その行番号又は列番号が示す選択肢の行又は列と、それ以外の選択肢の行又は列とを区別して表示手段に表示しているので、ユーザーが所望する選択肢が含まれているか否かを視認することができ、選択操作をさらに容易にすることができる。
【発明を実施するための最良の形態】
【００１２】
以下、図面を参照して本発明を適用した携帯型電子機器としてのカメラ付き携帯電話について説明する。図１及び図２の外観斜視図に示すように、カメラ付き携帯電話１０は、第１の筐体１１と、第２の筐体１２と、これらの筐体１１，１２を回動自在に連結するヒンジ部１３とを備える。
【００１３】
筐体１１，１２はともに略矩形の薄板形状に形成されており、第１の筐体１１の背面には、カメラ部１５が設けられている。このカメラ部１５は、外部に露呈する撮影レンズ１６の奥に撮像素子としてのＣＣＤ１７（図３参照）を備えている。なお、撮像素子としてはＣＣＤを例に上げて説明したが、本発明はこれに限らずＣＭＯＳなど他の撮像素子でもよい。ＣＣＤ１７は撮影レンズ１６によって結像された被写体像を光電変換して撮像信号を出力する。カメラ付き携帯電話１０は、ヒンジ部１３を介して筐体１１，１２のいずれかを回動させることによって、筐体１１，１２の前面がともに露呈する展開状態、または筐体１１，１２の前面がともに向かい合うように折り畳まれる折り畳み状態となる。
【００１４】
さらに、第１の筐体１１の前面には、ＬＣＤパネル２２及び受話スピーカ２３が、第２の筐体１２の前面には操作部２４及び送話マイク２６が、一方の側面にはメモリカード２７を接続するためのカードスロット２８が設けられている。
【００１５】
操作部２６は、モード選択キー３１、決定キー３２、シャッタボタンキー３３、キャンセルキー３４、カーソルキー３５、テンキー３６ａ〜３６ｌなどからなる。モード選択キー３１は、通話モード、撮影モード、再生モードなどのモード選択を行うものであり、決定キー３２は選択を確定するときなどに押圧操作する。また、シャッタボタンキー３３は、撮影モードのときに押圧操作することによってカメラ部１５が動作して撮像信号を取得し、画像データをメモリカード２７に記録する。キャンセルキー３４は一度選択した状態を解除して初期状態に戻ったり、前の画面に戻るなどの入力を行う。カーソルキー３５は、上下及び左右方向を示す指標が形成されており、この指標の位置を押圧操作することによって上下及び左右方向の入力を行う。さらにテンキー３６ａ〜３６ｌは、０〜９の数字及び「♯」、「＊」などの文字が付してあり、数字又は文字の入力、及び後述する選択入力の際に押圧操作する。
【００１６】
カメラ付き携帯電話の電気的構成を示す図３のブロック図において、ＣＰＵ５０は、カメラ付き携帯電話１０の動作を統括的に制御する。このＣＰＵ５０は、データバス５１を介して上述したカメラ部１５、操作部２６の他に、受話スピーカ２３および送話マイク２６で入出力される音声に対してノイズ除去などの各種処理を施す音声処理回路５３、ＬＣＤパネル２２の表示制御を行うＬＣＤドライバ５４、メモリカードスロット２８に装着されたメモリカード２７へのデータの入出力制御を行うメディアコントローラ５６、アンテナ５７ａを介して電波信号の送受信を行う通信Ｉ／Ｆ５７などが接続されている。
【００１７】
カメラ部１５は、撮影レンズ１６、ＣＣＤ１７及び信号処理回路５８からなる。ＣＣＤ１７は、ＣＰＵ５０に接続されたタイミングジェネレータ５９によって動作制御され、撮像信号を出力する。信号処理回路５８は、ＣＣＤ１７から出力された撮像信号に対して、サンプリング、増幅、Ａ／Ｄ変換を施し、デジタルの画像データを出力する。信号処理回路６１から出力された画像データは、データバス５１を介してフレームメモリ６０に一旦格納される。
【００１８】
フレームメモリ６０に一旦格納された画像データは、ＬＣＤドライバ５４を介してＬＣＤパネル２２にスルー画像として表示される。あるいは、シャッタボタンキー３３によってシャッタレリーズを行った後、メディアコントローラ５６を介してメモリカード２７に記録される。また、データバス５１には、ＲＯＭ６２が接続されている。ＲＯＭ６２には、各モード下で処理を行う実行プログラムや各種の設定情報等が記憶されている。
【００１９】
なお、メモリカード２７に画像データが保存されるときは、図４に示すようなディレクトリ構造となっている。メモリカード２７のルートディレクトリ６３には、画像フォルダ６４と、管理フォルダ６６とが設けられており、画像フォルダ６４内には、各画像データ６７が保存されており、管理フォルダ６６には、管理情報ファイル６８及びサムネイル画像６９が保存される。各サムネイル画像６９はそれぞれ、各画像データ６７に対応しており、これらが関連付けされていることを示す情報が管理情報ファイル６８に書き込まれている。
【００２０】
以下では、再生モード下での画像の選択及び再生表示のシーケンスについて図５に示すフローチャートに沿って説明する。モード選択キー３１を押圧操作して再生モードを選択すると、ＣＰＵ５０は、メモリカード２７に保存された画像データに対応するサムネイル画像を全て読み出し、図６に示すインデックス画像７０をＬＣＤパネル２２に表示させる。このインデックス画像７０では、縦６行×横５列に配列された画像コマにサムネイル画像がそれぞれ表示される。
【００２１】
上述したインデックス画像７０が表示された直後は、図７（Ａ）に示すように、全ての画像コマが同様に表示されている（色、明るさなどの区別がない）。そして、このインデックス画像７０が表示された状態で、ユーザーが画像を選択するときには、先ずテンキー３６ａ〜３６ｉのいずれかで所望の画像を含む画像コマの列番号を入力する。例えば、所望の画像コマを含む列が左から３番目に位置している場合には、列番号の３に対応するテンキー３６ｃ（図７（Ａ）の点線矩形枠で示す位置）を押圧操作する。このようにして列番号が入力されると、ＣＰＵ５０は、入力された列番号に対応する画像コマの列（以下、選択画像列という）７１と、それ以外の列（ハッチングが掛かった箇所）とを異なる表示に切り換える（図７（Ｂ）に示す状態）。この場合、例えば、選択画像列７１は明るく、それ以外の列は暗く表示されるようにしたり、あるいは選択画像列７１は通常のサムネイル画像を表示し、それ以外の列は赤、青などの色フィルタが掛かった状態で表示したり、また選択画像列７１の周囲を太線の枠で囲んだ表示にしたりする。このように、選択画像列７１とそれ以外の列とを異なる表示とすることによってユーザーが所望する画像が選択画像列７１に含まれているか否かが視認できるため、選択操作を容易にすることができる。なお、列番号として不適正な番号が入力された場合、本実施形態では画像コマが５列目までしかないので６以上の数字が付されたテンキー３６ｆ〜３６ｉ及び０が付されたテンキー３６ｋが押圧操作された場合には、入力信号を無視してインデックス画像７０の表示を初期状態（図７（Ａ）に示す状態）のままにする。
【００２２】
そして、選択画像列７１が表示された状態（図７（Ｂ）に示す状態）で、次にユーザーは、テンキー３６ａ〜３６ｉのいずれかで所望の画像を含む画像コマの行番号を入力する。例えば、所望の画像コマを含む行が上から４番目に位置している場合には、行番号の４に対応するテンキー３６ｂ（図７（Ｂ）の点線矩形枠で示す位置）を押圧操作する。このようにして行番号を入力すると、選択画像列７１に含まれる画像のうち、入力された行番号に対応する１つの画像の選択が決定して、図７（Ｃ）に示す状態にインデックス画像７０の表示が切り換わる。すなわち、図７（Ｃ）に示す状態では、先程入力された列番号と、その後に入力された行番号によって位置が指定される１つの選択画像７２と、それ以外の画像コマとが異なる表示となっている。このようにしてテンキー３６ａ〜３６ｉによって列番号、行番号を押圧操作することで１つのサムネイル画像の選択が決定し、列番号及び行番号によって指定されたサムネイル画像に対応する画像データ（もとの画像）がメモリカード２７から読み出され、この画像データに基づく再生画像７５がＬＣＤパネル２２に大きく表示される（図８参照）。なお、行番号の入力のときも、不適正な番号が入力された場合は入力信号を無視してインデックス画像７０に選択画像列７１が表示された状態（図７（Ｂ）に示す状態）のままにする。
【００２３】
上述のようにテンキー３６ａ〜３６ｉによる列番号及び行番号の入力で画像コマの位置を指定して選択を決定することができるため、インデックス画像７０に多数の画像が表示される場合でも、テンキーなどを操作する回数を少なくして操作に掛かる手間と時間を削減することが可能であり、容易に選択操作を行うことができる。
【００２４】
なお、上記第１実施形態においては、画像を撮影して記録するカメラ機能を有するカメラ付き携帯電話を例に上げて説明しているが、本発明はこれに限らず、画像データを取得してＬＣＤパネルなどの表示手段に表示する構成を有するものであればよく、デジタルカメラ、カメラ付き情報端末、パーソナルコンピュータなど他の携帯型電子機器にも適用することができる。さらにカメラ機能が無く、データベースに保存された画像を読み出して表示手段に表示する携帯型電子機器などにも本発明は適用することができる。以下で説明する第２実施形態では、データベースを有するサーバーと通信を行い、そのデータベースから読み出した多数の画像データに基づくインデックス画像を表示して選択操作を行う構成としている。図９には、第２実施形態を適用した携帯型電子機器としての携帯電話１００、及びこの携帯電話１００とネットワーク１１５を介して通信するサーバー１１０とを図示している。なお、この第２実施形態を適用した携帯電話１００の部品構成は、上記第１の実施形態の携帯電話１０と同じ部品については同符号を付して説明を省略する。携帯電話１００のＲＯＭ１０１には、画像表示プログラムＰＧが格納されており、携帯電話１００のＣＰＵ１０２は、画像表示プログラムＰＧを実行することでサーバー１１０に画像データを要求、取得してＬＣＤパネル２２に画像を表示させる機能を有する。
【００２５】
また、サーバー１１０は、多数の画像データ、これらの画像データに対応するサムネイル画像データ、及びこれらの画像データに関する情報が記憶されたデータベース１１１と、ネットワーク１０５と接続し、ＰＤＡ１００と通信を行う通信インターフェース１１２と、これらを統括的に制御するＣＰＵ１１３とを備えている。
【００２６】
上記構成の携帯電話１００で画像選択及び再生を行うときのシーケンスを図１０に示すフローチャートに沿って説明する。携帯電話１００で画像再生プログラムＰＧを起動すると、先ずＣＰＵ１０２は、通信インターフェース５７によってサーバー１１０と通信し、サムネイル画像データを読み出す。ＣＰＵ１０２は、読み出したサムネイル画像データに基づいてインデックス画像を作成してＬＣＤ２２に表示する。ユーザーはＬＣＤ２２に表示されたインデックス画像を見ながらテンキー３６ａ〜３６ｉのいずれかを押圧操作して所望の画像を含む列の番号を入力する。ユーザーは、選択画像列の中に所望の画像が含まれていることを視認すると、もう一度テンキー３６ａ〜３６ｉのいずれかを押圧操作して所望の画像が位置する行番号を入力する。このようにして列番号及び行番号が入力されて選択画像が決定される。選択画像が決定されると、ＣＰＵ１０２は、通信インターフェース５７によってネットワーク１０５と接続し、選択画像に対応するもとの画像データをサーバー１１０へ要求する。そしてデータベース１１０はネットワーク１０５を介して携帯電話１００からの要求を受信し、この要求された画像データをデータベース１１０が読み出して送信する。携帯電話１００は、ネットワーク１０５を介して要求した画像データを取得すると、この画像データに基づきＬＣＤ２２に画像を大きく表示する。
【００２７】
なお、上記第２の実施形態においては、１つの選択画像を決定した後に、画像データを要求、受信するようにしているが、本発明はこれに限るものではなく、例えば、最初に選択画像列が表示状態（それ以外の列と異なる表示）となったときに、選択画像列内の画像に対応する画像データ全てをサーバーへ要求し、選択画像列の全ての画像データを取得してフレームメモリに一時保存しておくようにしてもよい。これによって、選択を確定してから画像を読み出して表示するまでの時間を短縮することができる。
【００２８】
また、上記実施形態では、インデックス画面から１つの画像を選択するときの選択操作を例に上げて説明しているが、本発明はこれに限るものではなく、各種設定を行うメニュー画面や、電話番号やアドレスのリスト表示など多数の選択肢を配列した画面表示を行って、それらの選択肢の中から１つを選択するときの選択操作であれば適用することができる。
【００２９】
さらにまた、上記実施形態では、先に列番号を入力してから次に行番号を入力して選択を決定しているが、本発明はこれに限らず、先に行番号を入力した後に列番号を入力する設定にしてもよい。なお、この場合、先に入力した行番号に対応する選択肢の行と、それ以外の列とを区別して表示することが好ましい。
【００３０】
なお、上記実施形態では、０〜９の数字が付された一般的な配列のテンキーによって、行番号及び列番号を入力する構成としているが、本発明はこれに限るものではなく、英文字や仮名文字などの文字を入力する他の入力キー、例えばＪＩＳ配列などのキーボードに準拠したものなど、数字や文字を入力可能なものであれば同様の効果を得ることができる。なお、この場合、英文字であればアルファベット順、仮名文字であれば五十音順に入力キーが並んでいることが好ましい。また、英文字などで行番号及び列番号を入力する場合には、図１１に示すように、インデックス画像７０を表示するときを例に上げると、画像の行及び列にそれぞれ英文字の番号１２１，１２２を付して、これに対応する入力キーを操作するようにすればよい。
【図面の簡単な説明】
【００３１】
【図１】カメラ付き携帯電話の正面側斜視図である。
【図２】カメラ付き携帯電話の背面側斜視図である。
【図３】カメラ付き携帯電話の電気的構成の概略を示すブロック図である
【図４】メモリカードに保存される画像データのディレクトリ構造を示す説明図である。
【図５】第１実施形態を適用したカメラ付き携帯電話を再生モードで使用するときのシーケンスを示すフローチャートである。
【図６】再生モード時の表示画面を示す正面図である。
【図７】再生モードで画像を選択するときの状態を示す説明図である。
【図８】再生画像を表示させるときの一例を示す説明図である。
【図９】第２実施形態を適用した携帯電話及び携帯電話と通信するサーバーの電気的構成の概略を示すブロック図である。
【図１０】第２実施形態を適用した携帯電話で画像表示プログラムを実行するときのシーケンスを示すフローチャートである。
【図１１】英文字入力で列番号及び行番号を入力するときの表示画面の１例を示す正面図である。
【符号の説明】
【００３２】
１０  カメラ付き携帯電話（携帯型電子機器）
２２  ＬＣＤパネル（表示手段）
２４  操作部（操作手段）
３６ａ〜３６ｌ  テンキー
５０，１０２  ＣＰＵ
７０  インデックス画像
７１  選択画像列
１００  携帯電話（携帯型電子機器）
【図１】
2007189425.tif 000003
【図２】
2007189425.tif 000004
【図３】
2007189425.tif 000005
【図４】
2007189425.tif 000006
【図５】
2007189425.tif 000007
【図６】
2007189425.tif 000008
【図７】
2007189425.tif 000009
【図８】
2007189425.tif 000010
【図９】
2007189425.tif 000011
【図１０】
2007189425.tif 000012
【図１１】
2007189425.tif 000013